(57)【特許請求の範囲】
【請求項１】
蒸気を生成して負荷機器に供給するボイラと、
前記負荷機器が蒸気を使用することによって凝縮して生じたドレンを大気に開放することなく回収するドレンタンクと、
前記負荷機器と前記ドレンタンクとを接続するドレン回収ラインと、
前記ドレン回収ラインに配置されるドレン回収弁と、
前記ドレンタンクと前記ボイラとを接続し前記ドレンタンクに収容されたドレンを前記ボイラに供給するドレン供給ラインと、
大気開放され、前記ボイラに供給する補給水を貯留するオープンタンクと、
前記ドレン回収ラインにおけるドレン回収弁の上流側と前記オープンタンクとを接続するドレン逃がしラインと、
前記ドレン逃がしラインに配置されるドレン逃がし弁と、
前記ドレンタンクの水位を測定する水位測定部と、
前記ドレンタンクにおける目標水位、及び該目標水位よりも高いドレン逃がし水位を記憶する記憶部と、
前記ドレンタンクの水位が前記目標水位となるように前記ドレン逃がし弁の開度を制御する第１水位制御部と、
前記ドレンタンクの水位が前記ドレン逃がし水位を超えた場合に前記ドレン回収弁を閉止して前記ドレン逃がし弁を開放する第２水位制御部と、を備えるクローズドタイプのボイラシステム。
【請求項２】
前記ドレン逃がし弁は、
開度調整可能な第１ドレン逃がし弁と、
開状態と閉状態とを切り替え可能な第２ドレン逃がし弁と、を備え
前記ドレン逃がしラインは、
前記第１ドレン逃がし弁が配置される第１ドレン逃がしラインと、
前記第２ドレン逃がし弁が配置される第２ドレン逃がしラインと、を備える請求項１に記載のボイラシステム。
【請求項３】
前記オープンタンクと前記ドレンタンクとを接続する第１補給水ラインと、
前記第１補給水ラインに配置される第１補給水ポンプと、
前記ドレンタンクの水位が前記ドレン逃がし水位よりも高い警報水位を超えた場合にボイラシステムを停止させるシステム停止制御部と、
前記ドレンタンクの水位が前記目標水位よりも低い補給水供給水位を下回った場合に前記第１補給水ポンプを駆動させる補給水制御部と、を更に備える請求項１又は２に記載のボイラシステム。
【発明の詳細な説明】
【技術分野】
【０００１】
本発明は、ボイラシステムに関する。より詳細には、負荷機器から排出されるドレンを、大気に開放することなく回収してボイラに給水するクローズドタイプのボイラシステムに関する。
【背景技術】
【０００２】
従来、ボイラによって生成された蒸気を負荷機器に供給し、負荷機器において熱源として使用された蒸気が凝縮して発生するドレンを、耐圧性を有する密閉型のドレンタンクに高温・高圧の状態で回収して、再度ボイラに給水するクローズドタイプのボイラシステムが提案されている。
【０００３】
このようなボイラシステムでは、ドレンタンクに貯留されたドレンの量が増加した場合に、負荷機器で発生したドレンをドレンタンクに回収せず大気開放されたオープンタンク側に逃すドレン逃がしラインが設けられる。このドレン逃がしラインの流路は、ドレンをドレンタンクに回収する場合には閉止されており、ドレンタンクの水位が所定の閾値を超えた場合に開放される（例えば、特許文献１参照）。
【先行技術文献】
【特許文献】
【０００４】
【特許文献１】特開２０１３−２０４９６１号公報
【発明の概要】
【発明が解決しようとする課題】
【０００５】
ところで、ドレンタンクに回収されるドレンの量は、負荷変動等により大きく変動する。特に、ボイラシステムを、複数台のボイラを含んで構成するとドレンの発生量も多くなるため、ドレン逃がしラインの流路の切り替えが頻繁に発生する場合が生じる。ドレン逃がしラインの流路の切り替えが頻繁に発生すると、流路を切り替える弁の寿命が短くなる。また、流路の切り替えに伴い、ドレン逃がしラインを構成する配管に振動が発生するため、頻繁な流路の切り替えは、ボイラシステムの安定的な運転にとって好ましくない。
【０００６】
従って、本発明は、ドレン逃がしラインにおける頻繁な流路の切り替えを抑制でき、安定的に運転させられるボイラシステムを提供することを目的とする。
【課題を解決するための手段】
【０００７】
本発明は、蒸気を生成して負荷機器に供給するボイラと、前記負荷機器が蒸気を使用することによって凝縮して生じたドレンを大気に開放することなく回収するドレンタンクと、前記負荷機器と前記ドレンタンクとを接続するドレン回収ラインと、前記ドレン回収ラインに配置されるドレン回収弁と、前記ドレンタンクと前記ボイラとを接続し前記ドレンタンクに収容されたドレンを前記ボイラに供給するドレン供給ラインと、大気開放され、前記ボイラに供給する補給水を貯留するオープンタンクと、前記ドレン回収ラインにおけるドレン回収弁の上流側と前記オープンタンクとを接続するドレン逃がしラインと、前記ドレン逃がしラインに配置されるドレン逃がし弁と、前記ドレンタンクの水位を測定する水位測定部と、前記ドレンタンクにおける目標水位、及び該目標水位よりも高いドレン逃がし水位を記憶する記憶部と、前記ドレンタンクの水位が前記目標水位となるように前記ドレン逃がし弁の開度を制御する第１水位制御部と、前記ドレンタンクの水位が前記ドレン逃がし水位を超えた場合に前記ドレン回収弁を閉止して前記ドレン逃がし弁を開放する第２水位制御部と、を備えるクローズドタイプのボイラシステムに関する。
【０００８】
また、前記ドレン逃がし弁は、開度調整可能な第１ドレン逃がし弁と、開状態と閉状態とを切り替え可能な第２ドレン逃がし弁と、を備え、前記ドレン逃がしラインは、前記第１ドレン逃がし弁が配置される第１ドレン逃がしラインと、前記第２ドレン逃がし弁が配置される第２ドレン逃がしラインと、を備えることが好ましい。
【０００９】
また、ボイラシステムは、前記オープンタンクと前記ドレンタンクとを接続する第１補給水ラインと、前記第１補給水ラインに配置される第１補給水ポンプと、前記ドレンタンクの水位が前記ドレン逃がし水位よりも高い警報水位を超えた場合にボイラシステムを停止させるシステム停止制御部と、前記ドレンタンクの水位が前記目標水位よりも低い補給水供給水位を下回った場合に前記第１補給水ポンプを駆動させる補給水制御部と、を更に備えることが好ましい。
【発明の効果】
【００１０】
本発明のボイラシステムによれば、ドレン逃がしラインにおける頻繁な流路の切り替えを抑制でき、安定的に運転させられる。
【図面の簡単な説明】
【００１１】
【図１】本発明の一実施形態に係るボイラシステムの構成を示す図である。
【図２】制御装置の構成を示す機能ブロック図である。
【発明を実施するための形態】
【００１２】
以下、本発明のボイラシステムの好ましい一実施形態について、図面を参照しながら説明する。
本実施形態のボイラシステム１は、図１に示すように、ボイラ装置１０と、ドレンタンク２０と、オープンタンク３０と、制御装置１００と、を備える。また、ボイラシステム１は、これらの機器を接続し、蒸気又は水が流通する複数のラインを備える。具体的には、ボイラシステム１は、ラインとして、第１蒸気供給ラインＬ１と、ドレン回収ラインＬ２と、ドレン供給ラインＬ３と、第２蒸気供給ラインＬ４と、フラッシュ蒸気ラインＬ５と、第１補給水ラインＬ６と、ドレン返送ラインＬ７と、ドレン逃がしラインＬ８と、第２補給水ラインＬ９と、を備える。
【００１３】
ボイラ装置１０は、図１に示すように、複数の貫流ボイラ１１と、これら複数の貫流ボイラ１１で生成された蒸気が集合される蒸気ヘッダ１２と、貫流ボイラ１１と蒸気ヘッダ１２とを連結する連結管１３と、を備える。
【００１４】
貫流ボイラ１１は、内部に供給された給水を燃焼ガスにより加熱して蒸気を生成する。本実施形態では、貫流ボイラ１１には、後述のドレンタンク２０に回収されたドレンが給水として供給される。
【００１５】
図１に示すように、貫流ボイラ１１で生成された蒸気は、連結管１３を通って蒸気ヘッダ１２に供給される。蒸気ヘッダ１２は、貫流ボイラ１１で生成された蒸気を貯留し、負荷機器４０に供給する。
負荷機器４０は、貫流ボイラ１１で生成された蒸気を熱源として利用し、加熱対象物の直接加熱又は間接加熱を行う。
【００１６】
ドレンタンク２０は、耐圧性を有する圧力容器により構成される。このドレンタンク２０は、貫流ボイラ１１により生成された蒸気が負荷機器４０で利用されることで凝縮して生じたドレンを高温高圧の状態で回収する。ドレンタンク２０には、ドレンタンク２０に回収されたドレンの水位を検出する水位測定部としての水位センサ２５が配置される。
【００１７】
オープンタンク３０は、大気に開放されている。このオープンタンク３０は、貫流ボイラ１１に供給される補給水を貯留する。また、オープンタンク３０には、ドレンタンク２０においてドレンから発生したフラッシュ蒸気、及び後述するドレン逃がしラインＬ８を流通するドレンが導入される。
【００１８】
第１蒸気供給ラインＬ１は、蒸気ヘッダ１２と負荷機器４０とを接続し、複数の貫流ボイラ１１で生成された蒸気を負荷機器４０に供給する。
ドレン回収ラインＬ２は、負荷機器４０とドレンタンク２０とを接続し、負荷機器４０で発生したドレンをドレンタンク２０に供給する。このドレン回収ラインＬ２には、スチームトラップ２１、逆止弁２２、及びドレン回収弁２３が配置される。
スチームトラップ２１は、ドレン回収ラインＬ２における負荷機器４０の下流側に配置され、負荷機器４０において発生したドレンを排出し、かつ、蒸気の排出を防ぐ。逆止弁２２は、スチームトラップ２１の下流側に配置され、ドレン回収ラインＬ２においてドレンが負荷機器４０側に逆流することを防ぐ。ドレン回収弁２３は、ドレン回収ラインＬ２におけるドレンタンク２０との接続部分の近傍に配置される。ドレン回収弁２３は、モータバルブにより構成される。ドレン回収弁２３は、制御装置１００からの制御信号に基いて動作し、ドレン回収ラインＬ２の流路を開閉させる。
【００１９】
ドレン供給ラインＬ３は、ドレンタンク２０と貫流ボイラ１１とを接続し、ドレンタンク２０に回収されたドレンを複数の貫流ボイラ１１に供給する。ドレン供給ラインＬ３の上流側の端部は、ドレンタンク２０の下部に接続される。また、ドレン供給ラインＬ３の下流側は、複数の貫流ボイラ１１のそれぞれに接続されるように分岐している。ドレン供給ラインＬ３には、ドレンポンプ３１及びドレン供給弁３２が配置される。
ドレンポンプ３１は、ドレン供給ラインＬ３における分岐部分よりも上流側に配置され、ドレンタンク２０から供給されたドレンを昇圧して貫流ボイラ１１側に送り出す。ドレン供給弁３２は、モータバルブにより構成される。ドレン供給弁３２は、ドレン供給ラインＬ３における分岐部分よりも下流側に、複数の貫流ボイラ１１それぞれに対応して配置される。ドレン供給弁３２は、制御装置１００により開度が調整され、これにより、貫流ボイラ１１に供給されるドレンの量が制御される。
【００２０】
第２蒸気供給ラインＬ４は、蒸気ヘッダ１２とドレンタンク２０とを接続する。この第２蒸気供給ラインＬ４は、貫流ボイラ１１で生成された蒸気をドレンタンク２０に供給し、ドレンタンク２０の内部の圧力を調節する。第２蒸気供給ラインＬ４には、圧力調整弁４１及びモータバルブ４２が配置される。
圧力調整弁４１は、第２蒸気供給ラインＬ４における圧力調整弁４１よりも下流側を流通する蒸気の圧力が所定の圧力となるように調整する。モータバルブ４２は、制御装置１００により開度が調整され、これにより、ドレンタンク２０に供給される蒸気の量が調整され、ドレンタンク２０の内部の圧力が所定圧力となるように制御される。
【００２１】
フラッシュ蒸気ラインＬ５は、ドレンタンク２０とオープンタンク３０とを接続し、ドレンタンク２０で発生したフラッシュ蒸気をオープンタンク３０に排出する。フラッシュ蒸気ラインＬ５の上流側は、２つに分岐しておりそれぞれの端部がドレンタンク２０の上部に接続される。フラッシュ蒸気ラインＬ５における分岐部分の一方には、圧力調整弁５１が配置され、他方には、モータバルブ５２が配置される。
圧力調整弁５１は、ドレンタンク２０の内部の圧力が所定の圧力を超えた場合に、フラッシュ蒸気をオープンタンク３０側に逃がして、ドレンタンク２０の内部の圧力を低下させる。
モータバルブ５２は、制御装置１００からの制御信号に基いて動作し、フラッシュ蒸気ラインＬ５の流路を開閉させる。このモータバルブ５２は、圧力調整弁５１が動作しなかった場合等におけるバックアップとして設けられる。
【００２２】
第１補給水ラインＬ６は、オープンタンク３０とドレンタンク２０とを接続し、オープンタンク３０に貯留された水をドレンタンク２０に供給する。第１補給水ラインＬ６には、第１補給水ポンプ６１が配置されている。
【００２３】
ドレン返送ラインＬ７は、ドレン供給ラインＬ３とドレンタンク２０とを接続する。より具体的には、ドレン返送ラインＬ７の上流側（基端側）の端部は、ドレン供給ラインＬ３におけるドレンポンプ３１とドレン供給弁３２との間に接続される。ドレン返送ラインＬ７の下流側の端部は、ドレンタンク２０の上部に接続されるラインと、ドレンタンク２０の下部に接続されるラインとに分岐している。ドレンタンク２０の上部に接続されるラインには、モータバルブ７２が配置され、ドレンタンク２０の下部に接続されるラインには、オリフィス７１が配置される。
【００２４】
ドレン返送ラインＬ７は、ドレン供給ラインＬ３を流通するドレンの一部又は全部を、ドレンタンク２０に戻す。より詳細には、ドレンタンク２０の下部に接続されるラインからは、ドレンタンク２０の液相部にドレンが循環され、ドレンタンク２０の上部に接続されるラインからは、ドレンタンク２０の気相部にドレンが循環される。このドレン返送ラインＬ７では、液相部に循環されるドレンの流量を、オリフィス７１により調整してドレンタンク２０に貯留されるドレンの温度を均一化させつつ、気相部に循環させるドレンにより、ドレンタンク２０の内部で発生するフラッシュ蒸気を回収している。
【００２５】
ドレン逃がしラインＬ８は、ドレン回収ラインＬ２とオープンタンク３０とを接続する。このドレン逃しラインＬ８は、ドレンタンク２０に回収されるドレンが過剰になる場合に、ドレン回収ラインＬ２を流通するドレンをオープンタンク３０に逃がす。
本実施形態では、ドレン逃がしラインＬ８の上流側は、第１ドレン逃がしラインＬ８１及び第２ドレン逃がしラインＬ８２の２本のラインに分岐しており、それぞれの上流側の端部がドレン回収ラインＬ２に接続される。即ち、本実施形態では、第１ドレン逃がしラインＬ８１及び第２ドレン逃がしラインＬ８２が下流側で合流して１本のラインとしてオープンタンク３０に接続される。
【００２６】
第１ドレン逃がしラインＬ８１には、第１ドレン逃がし弁８１が配置される。第１ドレン逃がし弁８１は、制御装置１００からの制御信号に基いて開度調整可能なモータバルブにより構成される。第１ドレン逃がし弁８１は、開度を変更することで第１ドレン逃がしラインＬ８１を流通するドレンの流量を調節する。
第２ドレン逃がしラインＬ８２には、第２ドレン逃がし弁８２が配置される。第２ドレン逃がし弁８２は、制御装置１００からの制御信号に基いて開状態と閉状態とを切り替え可能なモータバルブ又は電磁弁により構成される。第２ドレン逃がし弁８２は、第２ドレン逃がしラインＬ８２の流路を開閉させる。
【００２７】
第２補給水ラインＬ９は、オープンタンク３０と複数の貫流ボイラ１１とを接続する。この第２補給水ラインＬ９は、オープンタンク３０に貯留された水を、補給水として貫流ボイラ１１に給水する。本実施形態では、第２補給水ラインＬ９の上流側の端部は、オープンタンク３０の下部に接続される。また、第２補給水ラインＬ９の下流側は、複数の貫流ボイラ１１のそれぞれに接続されるように分岐している。
【００２８】
第２補給水ラインＬ９には、補給水ポンプ９１が配置される。補給水ポンプ９１は、オープンタンク３０から供給された補給水を昇圧して貫流ボイラ１１に供給する。補給水ポンプ９１は、第２補給水ラインＬ９における分岐部分よりも下流側に配置され、複数の貫流ボイラ１１に対応して複数設けられる。
【００２９】
制御装置１００は、制御部１１０としてのＣＰＵ及び記憶部１２０としてのメモリを含んで構成され、各種弁の開閉や各種ポンプの動作を制御することで、ボイラシステム１を制御する。
本実施形態では、制御装置１００は、水位センサ２５によって検出されるドレンタンク２０の水位に基いて、ドレン回収弁２３、第１ドレン逃がし弁８１及び第２ドレン逃がし弁８２の開閉を制御する。
より具体的には、図２に示すように、本実施形態の制御部１１０は、ドレンタンク２０の水位を制御するための構成として、第１水位制御部１１１と、第２水位制御部１１２と、システム停止制御部１１３と、補給水制御部１１４と、を備える。また、記憶部１２０には、ドレンタンク２０における目標水位、この目標水位よりも高いドレン逃がし水位、このドレン逃がし水位よりも高い警報水位及び目標水位よりも低い補給水供給水位が記憶される。
【００３０】
まず、水位センサ２５によって検出されるドレンタンク２０の水位が目標水位よりも低い場合には、制御部１１０は、ドレン回収弁２３を開放し、第１ドレン逃がし弁８１及び第２ドレン逃がし弁８２を閉止する。これにより、ドレン回収ラインＬ２を流通するドレンは、全量ドレンタンク２０に回収される。
【００３１】
第１水位制御部１１１は、ドレンタンク２０の水位が目標水位となるように第１ドレン逃がし弁８１の開度を制御する。より具体的には、第１水位制御部１１１は、水位センサ２５によって検出されるドレンタンク２０の水位が目標水位以下の場合には、第１ドレン逃がし弁８１を閉止する。そして、水位センサ２５により検出されるドレンタンク２０の水位が目標水位を超えた場合、ドレンタンク２０の水位が目標水位となるように第１ドレン逃がし弁８１の開度を調整する。即ち、第１水位制御部１１１は、ドレンタンク２０の水位が目標水位よりも高くなるにつれて、第１ドレン逃がし弁８１の開度を大きくすることで、ドレン逃がしラインＬ８側に流通するドレンの量を増加させ、ドレンタンク２０に回収されるドレンの量を減少させる。
【００３２】
第２水位制御部１１２は、ドレンタンク２０の水位がドレン逃がし水位を超えた場合にドレン回収弁２３を閉止して第１ドレン逃がし弁８１及び第２ドレン逃がし弁８２を開放する。より具体的には、第２水位制御部１１２は、第１水位制御部１１１により第１ドレン逃がし弁８１を開放してドレン回収ラインＬ２を流通するドレンの一部をオープンタンク３０側に逃した状態においても、ドレンタンク２０の水位が更に上昇してドレン逃がし水位を超えた場合に、ドレン回収弁２３を閉止してドレンタンク２０へのドレンの流入を止めると共に、第１ドレン逃がし弁８１及び第２ドレン逃がし弁８２を開放する。これにより、ドレン回収ラインＬ２を流通するドレンは、全量ドレン逃がしラインＬ８を介してオープンタンク３０に導入される。
【００３３】
これにより、本実施形態では、第１水位制御部１１１によりドレンタンク２０の水位が目標水位となるように第１ドレン逃がし弁８１の開度を制御しつつ、ドレンの流入量の急激な増加等によりドレンタンク２０の水位がドレン逃がし水位を超えた場合には、ドレンの流路を切り替えてドレンタンク２０の水位を低下させられる。よって、ドレン逃がしラインＬ８における頻繁な流路の切り替えを抑制でき、ボイラシステム１を安定的に運転させられる。
【００３４】
システム停止制御部１１３は、ドレンタンク２０の水位がドレン逃がし水位よりも高い警報水位を超えた場合にボイラシステム１を停止させる。即ち、システム停止制御部１１３は、第２水位制御部１１２によりドレン回収弁２３を閉止した状態においてもドレンタンク２０の水位が更に上昇して警報水位を超えた場合に、ボイラシステム１を停止させることで、ドレンタンク２０の水位に異常が生じた状態において運転が継続されることを防ぐ。
【００３５】
補給水制御部１１４は、ドレンタンク２０の水位が目標水位よりも低い補給水供給水位を下回った場合に第１補給水ポンプ６１を駆動させる。
【００３６】
以上説明した本実施形態のボイラシステム１によれば、以下のような効果を奏する。
【００３７】
（１）ボイラシステム１を、ドレンタンク２０の水位が目標水位となるように第１ドレン逃がし弁８１の開度を制御する第１水位制御部１１１と、ドレンタンク２０の水位がドレン逃がし水位を超えた場合にドレン回収弁２３を閉止して第１ドレン逃がし弁８１及び第２ドレン逃がし弁８２を開放する第２水位制御部１１２と、を含んで構成した。これにより、第１水位制御部１１１によりドレンタンク２０の水位が目標水位となるように第１ドレン逃がし弁８１の開度を制御しつつ、ドレンの流入量の急激な増加等によりドレンタンク２０の水位がドレン逃がし水位を超えた場合には、ドレンの流路を切り替えてドレンタンク２０の水位を低下させられる。よって、ドレン逃がしラインＬ８における頻繁な流路の切り替えを抑制でき、ボイラシステム１を安定的に運転させられる。
【００３８】
（２）ドレン逃がし弁を、開度調整可能な第１ドレン逃がし弁８１と、開状態と閉状態とを切り替え可能な第２ドレン逃がし弁８２と、を含んで構成し、ドレン逃がしラインＬ８を、第１ドレン逃がし弁８１が配置される第１ドレン逃がしラインＬ８１と、第２ドレン逃がし弁８２が配置される第２ドレン逃がしラインＬ８２と、を含んで構成した。これにより、第１ドレン逃がし弁８１の開度を制御してドレンタンク２０の水位を調整しつつ、ドレンタンク２０の水位がドレン逃がし水位を超えた場合には、第２ドレン逃がし弁８２を開放することで、ドレンを第１ドレン逃がしラインＬ８１及び第２ドレン逃がしラインＬ８２の２つのラインからオープンタンク３０に導入させられる。また、開度制御及び開閉制御をそれぞれ別のドレン逃がし弁に行わせられるので、ドレン逃がし弁の長寿命化を図れる。
【００３９】
（３）ボイラシステム１を、ドレンタンク２０の水位がドレン逃がし水位よりも高い警報水位を超えた場合にボイラシステム１を停止させるシステム停止制御部１１３と、ドレンタンク２０の水位が目標水位よりも低い補給水供給水位を下回った場合に第１補給水ポンプ６１を駆動させる補給水制御部１１４と、を含んで構成した。これにより、ボイラシステム１の安全性をより向上させられる。また、第１水位制御部１１１及び第２水位制御部１１２の制御により、ドレンタンク２０の水位の過剰な上昇を好適に抑制できるので、システム停止制御部１１３を動作させる頻度を低減できる。よって、ボイラシステム１の安全性を損なうことなくボイラシステム１をより安定的に動作させられる。
【００４０】
以上、本発明のボイラシステム１の好ましい一実施形態について説明したが、本発明は、上述した実施形態に制限されるものではなく、適宜変更が可能である。
例えば、本実施形態では、ボイラシステム１を、３台の貫流ボイラ１１により構成したが、これに限らない。即ち、ボイラシステムを、１台又は２台の貫流ボイラを含んで構成してもよく、４台以上の貫流ボイラを含んで構成してもよい。
【００４１】
また、本実施形態では、ドレン逃がしラインＬ８を、第１ドレン逃がし弁８１が配置された第１ドレン逃がしラインＬ８１及び第２ドレン逃がし弁８２が配置された第２ドレン逃がしラインＬ８２を含んで構成したが、これに限らない。即ち、ドレン逃がしラインを、１つのドレン逃がし弁を有する１本のラインにより構成してもよい。
【００４２】
また、本実施形態では、第２水位制御部１１２に、第１ドレン逃がし弁８１及び第２ドレン逃がし弁８２を制御させたが、これに限らない。即ち、第２水位制御部に、第２ドレン逃がし弁のみを制御させてもよい。
【００４３】
また、本実施形態では、バルブとしてモータバルブを用いたが、これに限らず、バルブの種類は適宜変更してもよい。
【符号の説明】
【００４４】
１  ボイラシステム
１０  ボイラ装置（ボイラ）
２０  ドレンタンク
２３  ドレン回収弁
２５  水位センサ（水位測定部）
３０  オープンタンク
４０  負荷機器
６１  第１補給水ポンプ
８１  第１ドレン逃がし弁
８２  第２ドレン逃がし弁
１１１  第１水位制御部
１１２  第２水位制御部
１１３  システム停止制御部
１１４  補給水制御部
１２０  記憶部
Ｌ２  ドレン回収ライン
Ｌ３  ドレン供給ライン
Ｌ６  第１補給水ライン
Ｌ８  ドレン逃がしライン
Ｌ８１  第１ドレン逃がしライン
Ｌ８２  第２ドレン逃がしライン
【図１】
0006421649.tif 000002
【図２】
0006421649.tif 000003